(57)【要約】【課題】  記録ヘッドによってインクを転写している最中にインクリボンに対して負荷が加わることを防止して、インクの転写に乱れのない良好な画像の記録を得る。【解決手段】  各記録ヘッド１１は、同時にヘッドダウンし、第１記録ヘッド１１ａは、ヘッドダウンすると、対応するインク７の転写を開始し、第１記録ヘッド１１ａを除く各記録ヘッド１１ｂ、１１ｃ、１１ｄは、各記録ヘッド１１ｂ、１１ｃ、１１ｄのヘッド位置に記録媒体４における第１記録ヘッド１１ａによって記録が開始された記録開始位置が搬送されると、それぞれ対応する各インク７の転写を順次開始する。【選択図】      図２
2005212287.tif 000002
【特許請求の範囲】
【請求項１】
複数の色彩のインクが記録媒体の所定の記録長さ寸法に対応した長さ寸法によって順次塗布されているインクリボンと、
前記各インクの色彩の数に対応し、前記インクリボンの搬送方向に離間するとともに互いに平行に並列して設けられた複数の記録ヘッドとを有してなり、
前記各記録ヘッドは、同時にヘッドダウンし、
前記各記録ヘッドのうち前記インクリボンの搬送方向における最上流側に設けられた第１記録ヘッドは、ヘッドダウンすると、対応する前記インクの転写を開始し、
前記各記録ヘッドのうち前記第１記録ヘッドを除く他の各記録ヘッドは、それぞれの記録ヘッドのヘッド位置に前記記録媒体における前記第１記録ヘッドによって記録が開始された記録開始位置が搬送されると、それぞれ対応する前記各インクの転写を順次開始することを特徴とするプリンタ。
【請求項２】
前記各記録ヘッドは、前記インクリボンの搬送方向における最下流側に設けられた記録ヘッドのヘッド位置に前記記録媒体の記録開始位置が搬送されている状態において同時にヘッドダウンすることを特徴とする請求項１に記載のプリンタ。
【請求項３】
前記インクリボンの搬送を案内するリボンガイドを有し、前記リボンガイドを前記プラテンから離間する方向に引っ張るガイド引っ張り手段が設けられていることを特徴とする請求項１または２に記載のプリンタ。
【請求項４】
前記インクリボンの搬送を案内するリボンガイドを有し、前記リボンガイドに対し前記インクリボンの搬送方向の回転に負荷を加えるトルク付与手段が設けられていることを特徴とする請求項１から３のいずれかに記載のプリンタ。
【請求項５】
複数の色彩のインクが記録媒体の所定の記録長さ寸法に対応した長さ寸法によって順次塗布されているインクリボンおよび前記記録媒体を搬送し、
前記各インクの色彩の数に対応し、前記インクリボンの搬送方向に離間するとともに互いに平行に並列して設けられた複数の記録ヘッドのうち前記インクリボンの搬送方向における最下流側に設けられた記録ヘッドのヘッド位置に、前記記録媒体の記録開始位置が搬送されている状態において、前記各記録ヘッドを同時にヘッドダウンし、
前記各記録ヘッドがヘッドダウンすると、前記各記録ヘッドのうち前記インクリボンの搬送方向における最上流側に設けられた第１記録ヘッドによって対応する前記インクの転写を開始し、
前記第１記録ヘッドを除く他の記録ヘッドのヘッド位置に前記記録媒体における前記第１記録ヘッドによって記録が開始された記録開始位置が搬送されると、前記他の各記録ヘッドによって、それぞれ対応する前記各インクの転写を順次開始することを特徴とするプリンタの記録方法。
【発明の詳細な説明】
【技術分野】
【０００１】
本発明は、プリンタおよびその記録方法に係り、特に複数の色彩のインクが順次塗布されたインクリボンを用い、複数の記録ヘッドによって記録を行うプリンタおよびその記録方法に関する。
【背景技術】
【０００２】
従来より、複数の色彩のインクが順次塗布されたインクリボンを用い、複数の記録ヘッドによって前記各インクをそれぞれ記録媒体に転写することにより、記録媒体上に所望の画像の記録を行うプリンタが知られている。
【０００３】
図５は、従来のプリンタの一例を示す概念図であり、図５に示すように、前記プリンタ３１は、プラテン３２と、複数の色彩（例えばイエロー（Ｙ）、マゼンタ（Ｍ）、シアン（Ｃ））のインク３３が順次塗布されたインクリボン３４と、前記各インク３３の色彩の数に対応して設けられ前記インクリボン３４および記録媒体３５を介してプラテン３２に対向するように設けられた３つの記録ヘッド３６とを有する。各記録ヘッド３６は、インクリボン３４の搬送方向に離間させられるとともに平行にしてインクリボン３４の搬送方向における最上流側から第１記録ヘッド３６ａ、第２記録ヘッド３６ｂ、第３記録ヘッド３６ｃが順に並列して配置されている。また、前記各記録ヘッド３６の近傍には、各ヘッド位置に搬送された記録媒体３５の記録開始位置を検出する記録媒体検出手段３８がそれぞれ設けられている。
【０００４】
このプリンタ３１は、記録媒体３５およびインクリボン３４を搬送し、前記第１記録ヘッド３６ａの近傍に設けられた第１記録媒体検出手段３８ａが記録媒体３５の記録開始位置を検出すると、第１記録ヘッド３６ａを記録媒体３５の位置する方向にヘッドダウンさせて、第１記録ヘッド３６ａにより記録媒体３５へのインク３３の転写動作を開始する。続いて、第２記録ヘッド３６ｂの近傍に設けられた第２記録媒体検出手段３８ｂが、搬送された前記記録媒体３５の記録開始位置を検出すると、第２記録ヘッド３６ｂをヘッドダウンさせて、第２記録ヘッド３６ｂにより転写動作を開始する。さらに、第３記録ヘッド３６ｃの近傍に設けられた第３記録媒体検出手段３８ｃが、搬送された前記記録媒体３５の記録開始位置を検出すると、第３記録ヘッド３６ｃをヘッドダウンさせて第３記録ヘッド３６ｃにより転写動作を開始する。このように、前記プリンタ３１は、各記録ヘッド３６を順次ヘッドダウンさせて転写動作を行うことにより、記録媒体３５に所望の画像の記録を得るものである（例えば、特許文献１参照）。
【０００５】
このような従来のプリンタ３１によれば、単一の記録ヘッドによって複数の色彩のインクが順次塗布されたインクリボンを用い記録を行うプリンタと比較すると、各色彩のインク３３を転写させる毎に記録媒体３５をフィードバックさせる必要がないので、記録速度の高速化を図ることができる。
【０００６】
また、従来のプリンタ３１は、複数の色彩のインク毎に設けられた複数のインクリボンを用い、各インクリボンに対応する記録ヘッドによって記録を行うプリンタと比較すると、省スペース化を図ることができる。
【０００７】
しかし、前述の従来のプリンタ３１によれば、各記録媒体検出手段３８によって各ヘッド位置に記録媒体３５の記録開始位置が搬送されたことを検出する毎に、別個に各記録ヘッド３６をヘッドダウンさせるので、各記録ヘッド３６のヘッドダウン毎にインクリボン３４に対して負荷が加わることとなってしまう。このため、例えば第１記録ヘッド３６ａによってインクが転写されている間に第２記録ヘッド３６ｂや第３記録ヘッド３６ｃがヘッドダウンされてインクリボン３４に負荷が加わると、第１記録ヘッド３６ａによるインク３３の転写に乱れが生じるおそれがあり、この結果良好な画像の記録を得ることができないという問題を有していた。
【０００８】
【特許文献１】特開平５−３１９２９号公報
【発明の開示】
【発明が解決しようとする課題】
【０００９】
本発明はこれらの点に鑑みてなされたものであり、記録ヘッドによってインクを転写している最中にインクリボンに対して負荷が加わることを防止して、インクの転写に乱れのない良好な画像の記録を得ることができるプリンタおよびその記録方法を提供することを目的とする。
【課題を解決するための手段】
【００１０】
前記目的を達成するため、本発明に係るプリンタの特徴は、複数の色彩のインクが記録媒体の所定の記録長さ寸法に対応した長さ寸法によって順次塗布されているインクリボンと、前記各インクの色彩の数に対応し、前記インクリボンの搬送方向に離間するとともに互いに平行に並列して設けられた複数の記録ヘッドとを有してなり、前記各記録ヘッドは、同時にヘッドダウンし、前記各記録ヘッドのうち前記インクリボンの搬送方向における最上流側に設けられた第１記録ヘッドは、ヘッドダウンすると、対応する前記インクの転写を開始し、前記各記録ヘッドのうち前記第１記録ヘッドを除く他の各記録ヘッドは、それぞれの記録ヘッドのヘッド位置に前記記録媒体における前記第１記録ヘッドによって記録が開始された記録開始位置が搬送されると、それぞれ対応する前記各インクの転写を順次開始する点にある。
【００１１】
この発明に記載のプリンタによれば、第１記録ヘッドに記録媒体の記録開始位置が搬送されると、第１記録ヘッドのヘッドダウンと同時に他の記録ヘッドもヘッドダウンするので、各記録ヘッドによる対応するインクの転写動作の最中に他の記録ヘッドがヘッドダウンすることによってインクリボンに負荷が加わることを防止することができる。
【００１２】
また、本発明に係る他のプリンタの特徴は、前記各記録ヘッドは、前記インクリボンの搬送方向における最下流側に設けられた記録ヘッドのヘッド位置に前記記録媒体の記録開始位置が搬送されている状態において同時にヘッドダウンする点にある。
【００１３】
この発明に記載の他のプリンタによれば、各記録ヘッドのヘッド位置に記録媒体が搬送されている状態において各記録ヘッドがヘッドダウンされるので、ヘッドダウンされた各記録ヘッドとプラテンとの狭い隙間に記録媒体の先端縁を通過させるという必要がなく、記録媒体を円滑に搬送することが可能となる。
【００１４】
本発明に係る他のプリンタの特徴は、前記インクリボンの搬送を案内するリボンガイドを有し、前記リボンガイドを前記プラテンから離間する方向に引っ張るガイド引っ張り手段が設けられている点にある。
【００１５】
この発明に記載の他のプリンタによれば、ガイド引っ張り手段によってリボンガイドがプラテンから離間する方向に引っ張られていることにより、インクリボンもプラテンから離間する方向に引っ張られるので、インクリボンを一定の張力をもって搬送することができる。
【００１６】
本発明に係る他のプリンタの特徴は、前記インクリボンの搬送を案内するリボンガイドを有し、前記リボンガイドに対し前記インクリボンの搬送方向の回転に負荷を加えるトルク付与手段が設けられている点にある。
【００１７】
この本発明に記載の他のプリンタによれば、トルク付与手段によってリボンガイドの搬送方向の回転に負荷が加えることにより、インクリボンの搬送に一定の負荷が加わるので、インクリボンを一定の張力をもって搬送することができる。
【００１８】
さらに、本発明に係るプリンタの記載方法の特徴は、複数の色彩のインクが記録媒体の所定の記録長さ寸法に対応した長さ寸法によって順次塗布されているインクリボンおよび前記記録媒体を搬送し、前記各インクの色彩の数に対応し、前記インクリボンの搬送方向に離間するとともに互いに平行に並列して設けられた複数の記録ヘッドのうち前記インクリボンの搬送方向における最下流側に設けられた記録ヘッドのヘッド位置に、前記記録媒体の記録開始位置が搬送されている状態において、前記各記録ヘッドを同時にヘッドダウンし、前記各記録ヘッドがヘッドダウンすると、前記各記録ヘッドのうち前記インクリボンの搬送方向における最上流側に設けられた第１記録ヘッドによって対応する前記インクの転写を開始し、前記第１記録ヘッドを除く他の記録ヘッドのヘッド位置に前記記録媒体における前記第１記録ヘッドによって記録が開始された記録開始位置が搬送されると、前記他の各記録ヘッドによって、それぞれ対応する前記各インクの転写を順次開始する点にある。
【００１９】
この本発明に記載のプリンタの記載方法によれば、第１記録ヘッドに記録媒体の記録開始位置が搬送されると、第１記録ヘッドのヘッドダウンと同時に他の記録ヘッドもヘッドダウンするので、各記録ヘッドによる対応するインクの転写動作の最中に他の記録ヘッドがヘッドダウンすることによってインクリボンに負荷が加わることを防止することができる。
【発明の効果】
【００２０】
以上述べたように、本発明に係る各プリンタおよびプリンタの記録方法によれば、インクの転写動作の最中にインクリボンに負荷が加わることがないので、これにより、インクの転写に乱れがない良好な画像の記録を得ることができる。
【００２１】
また、ガイド引っ張り手段やトルク付与手段を用いることにより、インクリボンを一定の張力をもって搬送することができるので、インクリボンにしわが寄ってしまうことを防止することができ、さらに良好な画像の記録を得ることができる。
【発明を実施するための最良の形態】
【００２２】
以下、本発明に係るプリンタの一実施形態を図１から図４を参照して説明する。
【００２３】
図１は、本実施形態に係るプリンタを示す概念図であり、図１に示すように、本実施形態のプリンタ１は、円筒形状であって周方向に回転可能なプラテン２を有する。
【００２４】
前記プラテン２における周面の一部は、記録媒体用ローラ３に巻回された長尺の紙等からなる記録媒体４の一端部分がその周面に沿って搬送される搬送径路とされており、前記プラテン２の周面近傍には、記録媒体４を搬送経路に押さえつけるための複数の押さえローラ５が設けられている。
【００２５】
前記プリンタ１は、複数の色彩のインク７が記録媒体４の所定の記録長さ寸法に対応した長さ寸法によって順次塗布されているインクリボン８を有し、インクリボン８は、各インク７の塗布面がプラテン２の周面に対向するように取り付けられている。本実施形態においては、インクリボン８には、その搬送方向の上流側からＣ、Ｍ、Ｙおよび無色透明のオーバーコート（ＯＣ）の各インク７Ｃ、７Ｍ、７Ｙ、７ＯＣが順次塗布されている。また、Ｃのインク７Ｃが塗布された領域のインクリボン８の搬送方向下流側であるインク７Ｃの先頭部分、すなわち、インク７Ｃとインク７ＯＣとの間には、先頭マーク（図示せず）が形成されている。
【００２６】
記録媒体４およびインクリボン８を介してプラテン２と対向する位置には、各インク７の色彩の数に対応した複数の（本実施形態においては４個）記録ヘッド１１が、インクリボン８の搬送方向に離間されるとともに互いに平行に並列して設けられている。本実施形態において各記録ヘッド１１は、インクリボン８の搬送方向における最上流側から、インク７Ｃを転写する第１記録ヘッド１１ａ、インク７Ｍを転写する第２記録ヘッド１１ｂ、インク７Ｙを転写する第３記録ヘッド１１ｃおよびインク７ＯＣを転写する第４記録ヘッド１１ｄとされている。
【００２７】
第１記録ヘッド１１ａの近傍には、インクリボン８の先頭マークを検出するリボン検出手段１３および第４記録ヘッド１１ｄのヘッド位置に記録媒体４が搬送されていることを管理する記録媒体検出手段１４が設けられている。
【００２８】
そして、前記各記録ヘッド１１は、リボン検出手段１３によりインクリボン８の先頭マークを検出するとともに、記録媒体検出手段１４により第４記録ヘッド１１ｄのヘッド位置に記録媒体４が搬送されていることを確認すると、図２に示すように、同時に記録媒体４が位置する方向にヘッドダウンするようになっている。
【００２９】
また、前記インクリボン８は、送り出しローラ１５から、各記録ヘッド１１の近傍に設けられ各記録ヘッド１１のヘッドダウン動作に応じてともに移動する複数の可動ローラ１６、および各記録ヘッド１１よりもプラテン２から離間する位置に配設されているリボンガイドとしての複数のガイドローラ１７に案内されて搬送され、巻き取りローラ１８に巻き取られるようになっている。
【００３０】
筒状の各ガイドローラ１７の中心部には、図３に示すように、ローラ軸２０が設けられており、ローラ軸２０の一端部は支持板２１の一端部に接続され支持板２１によって支持されている。
【００３１】
ローラ軸２０の支持板２１によって支持されている側の一端部には、トルク付与手段としてのトルク付与用ばね２３が、取り付けられている。トルク付与用ばね２３の一端部は支持板２１に固定されており、トルク付与用ばね２３はその他端部によってガイドローラ１７をローラ軸２０の他端部側に押すようになっている。そして、ガイドローラ１７は、トルク付与用ばね２３によりローラ軸２０の他端部に取り付けられた押さえ部材２２に押しつけられるようになっており、これにより、トルク付与用ばね２３は、ガイドローラ１７の搬送方向の回転に負荷を加えるようになっている。
【００３２】
支持板２１の他端部には、支持板２１を介して各ガイドローラ１７に対しプラテン２から離間する方向に力を加えるためのガイド引っ張り手段としてのガイド引っ張り用ばね２４がばね用軸２５を介して取り付けられている。これにより、各ガイドローラ１７は、プラテン２に接近する方向および離間する方向に揺動可能となされている。
【００３３】
ここで、インクリボン８における各インク７の塗布長さ寸法と各記録ヘッド１１の配置位置との関係について説明する。
【００３４】
各インク７の塗布長さ寸法は、前述のように記録媒体４の所定の記録長さ寸法に対応した長さ寸法とされており、詳しくは前記記録長さ寸法とほぼ同一または少し長い寸法とされている。
【００３５】
各記録ヘッド１１が配置される間隔は、インクリボン８におけるインク７の塗布長さ寸法と記録媒体４の搬送速度との関係によって決定されている。詳しくは、第２記録ヘッド１１ｂは、記録媒体４の記録開始位置が第１記録ヘッド１１ａに対向するときインク７Ｃの先頭位置が第１記録ヘッド１１ａに搬送されている位置を基準とし、前記記録開始位置が第２記録ヘッド１１ｂに対向するときインク７Ｍの先頭位置が第２記録ヘッド１１ｂに搬送される位置に配設されている。また、第３記録ヘッド１１ｃは、前記記録開始位置が第３記録ヘッド１１ｃに対向するときインク７Ｙの先頭位置が第３記録ヘッド１１ｃに搬送される位置に配設されている。さらに、第４記録ヘッド１１ｄも同様に、記録媒体４の記録開始位置が第４記録ヘッド１１ｄに対向するときインク７ＯＣの先頭位置が第４記録ヘッド１１ｄに搬送される位置に配設されている。
【００３６】
次に、本プリンタ１の記録方法について説明する。
【００３７】
まず、プリンタ１に所望の文字や図形等の画像の記録データが入力されると、プリンタ１は、記録媒体４およびインクリボン８を搬送する。
【００３８】
続いて、リボン検出手段１３によってインクリボン８の先頭マークを検出することにより、インクリボン８の頭出しを行う。
【００３９】
このとき、記録媒体検出手段１４によって第４記録ヘッド１１ｄのヘッド位置に記録媒体４が搬送されていることを確認すると、各記録ヘッド１１を同時にヘッドダウンさせる。一方、記録媒体検出手段１４によって第４記録ヘッド１１ｄのヘッド位置に記録媒体４が搬送されていることを確認できないときは、記録媒体４を搬送し、記録媒体４が搬送されたことを確認した後、各記録ヘッド１１をヘッドダウンさせる。
【００４０】
このとき、図４（ａ）に示すように、第１記録ヘッド１１ａにはインクリボン８におけるインク７Ｃ（図４において一点鎖線）の先頭部分が対向しており、第１記録ヘッド１１ａによって記録媒体４に対しインク７Ｃの転写を開始する。
【００４１】
続いて、図４（ｂ）に示すように、記録媒体４における第１記録ヘッド１１ａにより記録を開始した記録開始位置が第２記録ヘッド１１ｂに対向する位置に搬送されると、第２記録ヘッド１１ｂにはインクリボン８におけるインク７Ｍ（図４において点線で示す）の先頭部分が対向するようになっている。そこで、第２記録ヘッド１１ｂにより記録媒体４の前記記録開始位置からインク７Ｍの転写を開始する。
【００４２】
この第２記録ヘッド１１ｂによる転写の開始時期は、記録媒体４の前記記録開始位置が第１記録ヘッド１１ａから第２記録ヘッド１１ｂに搬送される間の時間を基準に設定してもよい。また、第２記録ヘッド１１ｂの近傍に記録媒体４の記録開始位置が第２記録ヘッド１１ｂに対向する位置に搬送されたことを検出する第２記録媒体検出手段（図示せず）を設け、前記第２記録媒体検出手段によって記録開始位置が検出されたとき転写を開始するように設定されてもよい。
【００４３】
次に、図４（ｃ）に示すように、記録媒体４の記録開始位置が第３記録ヘッド１１ｃに対向する位置に搬送されると、第３記録ヘッド１１ｃにはインクリボン８におけるインク７Ｙ（図４において二点鎖線で示す）の先頭部分が対向するようになっているので、第３記録ヘッド１１ｃによって記録媒体４に対しインク７Ｙの転写を開始する。
【００４４】
さらに、図４（ｄ）に示すように、記録媒体４の記録開始位置が第４記録ヘッド１１ｄに対向する位置に搬送されると、第４記録ヘッド１１ｄにはインクリボン８におけるインク７ＯＣ（図４において実線で示す）の先頭部分が対向するようになっているので、第４記録ヘッド１１ｄによって記録媒体４に対しインク７ＯＣの転写を開始する。
【００４５】
なお、第３記録ヘッド１１ｃおよび第４記録ヘッド１１ｄによる転写の開始時期は、第２記録ヘッド１１ｂによる転写の開始と同様に設定される。
【００４６】
その後、図４（ｅ）に示すように、第１記録ヘッド１１ａにおいて記録媒体４における１頁分のインク７Ｃを転写すると、第１記録ヘッド１１ａの転写動作を終了する。そして、順次第２記録ヘッド１１ｂ、第３記録ヘッド１１ｃの転写動作を終了し、図４（ｆ）に示すように、第４記録ヘッド１１ｄにおいて１頁分のインク７ＯＣを転写することにより、所望の画像の記録を得ることができる。
【００４７】
また、本プリンタ１においては、各ガイドローラ１７は、ガイド引っ張り用ばね２４によりプラテン２から離間する方向に引っ張られており、インクリボン８はこれらガイドローラ１７によってプラテン２から離間する方向に引っ張られるので、インクリボン８に対し一定の張力が加わっている。
【００４８】
さらに、各ガイドローラ１７は、トルク付与用ばね２３によりインクリボン８の搬送方向の回転に対して負荷が加えられており、このためインクリボン８は搬送方向と逆方向に引っ張られるので、インクリボン８に対し一定の張力が加わっている。
【００４９】
本実施形態によれば、第１記録ヘッド１１ａに記録媒体４の記録開始位置が搬送されると、第１記録ヘッド１１ａのヘッドダウンと同時に他の第２記録ヘッド１１ｂ、第３記録ヘッド１１ｃおよび第４記録ヘッド１１ｄもヘッドダウンする。このため、各記録ヘッドによる対応するインク７の転写動作の最中に他の記録ヘッド１１がヘッドダウンすることによってインクリボン８に負荷が加わることを防止することができる。
【００５０】
したがって、インク７の転写動作の最中にインクリボン８に負荷が加わることがないので、これにより、インク７の転写に乱れがない良好な画像の記録を得ることができる。
【００５１】
また、前記各記録ヘッド１１は、第４記録ヘッド１１ｄのヘッド位置に記録媒体４の記録開始位置が搬送されている状態において同時にヘッドダウンされるので、ヘッドダウンされた各記録ヘッド１１とプラテン２との狭い隙間に記録媒体４の先端縁を通過させるという必要がなく、記録媒体４を円滑に搬送することが可能となる。
【００５２】
さらに、ガイド引っ張り用ばね２４によって各ガイドローラ１７がプラテン２から離間する方向に引っ張られていることにより、インクリボン８もプラテン２から離間する方向に引っ張られ、そして一定の張力を加わえられながら搬送される。さらにまた、トルク付与用ばね２３によって各ガイドローラ１７の搬送方向の回転に負荷が加わっていることにより、インクリボン８の搬送に一定の負荷が加わる。このため、各記録ヘッド１１においてインクリボン８のスリップ率が異なった場合であっても、インクリボン８は全体として一定の張力をもって搬送される。
【００５３】
これにより、インクリボン８にしわが寄ってしまうことを防止することができ、さらに良好な画像の記録を得ることができる。
【００５４】
なお、本発明は前記実施形態に限定されるものではなく、必要に応じて種々変更することが可能である。
【００５５】
例えば、本実施形態においては記録媒体４を直接記録を行う用紙として説明したが、これに限定されるものではなく、記録媒体４には、一時的にインク７が転写される中間転写体等も含むものとする。
【００５６】
また、本実施形態においては、記録媒体４を記録媒体用ローラ３に巻回された長尺のものを用いて説明したが、これに限定されるものではなく、裁断されている用紙等を用いてもよい。
【００５７】
さらに、利用されるインク７は本実施形態の４つの色彩に限定されるものではなく、２つ以上の色彩を利用するものであればどのような色彩を用いてもよい。
【００５８】
さらにまた、本実施形態において、インク７ＯＣを転写し記録媒体４における１頁分の記録が終了した後、記録媒体４のうち記録が終了した領域のインクリボン８の搬送方向における最上流部が、インクリボン８の搬送方向における第１記録ヘッド１１ａの下流側近傍に到達するように前記記録媒体４を逆方向に搬送し、その状態において次の画像データの記録を開始してもよい。これにより、記録媒体４における記録と次の記録との間の空白部分を大幅に省略することができ、効率よく記録媒体４を利用することができる。
【図面の簡単な説明】
【００５９】
【図１】本発明に係るプリンタの一実施形態において各記録ヘッドのヘッドアップ状態を示す概念図
【図２】図１のプリンタにおいて各記録ヘッドのヘッドダウン状態を示す概念図
【図３】図１のプリンタにおけるインクリボンのガイドローラを示す側面断面図
【図４】（ａ）〜（ｆ）は、図１のプリンタにおける記録方法の各工程を示す概念図
【図５】従来のプリンタの一例を示す概念図
【符号の説明】
【００６０】
１  プリンタ
２  プラテン
３  記録媒体用ローラ
４  記録媒体
５  押さえローラ
７Ｃ、７Ｍ、７Ｙ、７ＯＣ  インク
８  インクリボン
１１ａ、１１ｂ、１１ｃ、１１ｄ  記録ヘッド
１３  リボン検出手段
１４  記録媒体検出手段
１７  ガイドローラ
２３  トルク付与用ばね
２４  ガイド引っ張り用ばね
【図１】
2005212287.tif 000003
【図２】
2005212287.tif 000004
【図３】
2005212287.tif 000005
【図４】
2005212287.tif 000006
【図５】
2005212287.tif 000007